【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
地図サービスプロバイダによって、データコレクタとブロックチェーン上の第1のスマートコントラクトを実行するステップであって、
前記地図サービスプロバイダおよび前記データコレクタは、前記ブロックチェーンに参加しているコンピューティングデバイスである、ステップと、
前記地図サービスプロバイダにおいて、地図データを前記データコレクタから受信するステップと、
前記地図サービスプロバイダによって、データサービスプロバイダと前記ブロックチェーン上の第2のスマートコントラクトを実行するステップであって、
前記データサービスプロバイダは、前記ブロックチェーンに参加しているコンピューティングデバイスである、ステップと、
処理するために前記地図データを前記データサービスプロバイダに送信するステップと、
前記地図サービスプロバイダによって、データプロバイダと前記ブロックチェーン上の第3のスマートコントラクトを実行するステップであって、
前記データプロバイダは、前記ブロックチェーンに参加しているコンピューティングデバイスである、ステップと、
前記地図サービスプロバイダにおいて、非クラウドソーシングデータを前記データプロバイダから受信するステップと、
前記地図データと共に処理するために前記非クラウドソーシングデータを前記データサービスプロバイダに送信するステップと、
処理された地図データに対する要求をサービスユーザから受信するステップと、
前記データサービスプロバイダから、前記地図データおよび前記非クラウドソーシングデータから生成された、前記処理された地図データを検索するステップと、
前記地図サービスプロバイダによって、前記サービスユーザと前記ブロックチェーン上の第4のスマートコントラクトを実行するステップと、
前記要求に応答して前記処理された地図データを前記サービスユーザに送信するステップと
を含む、コンピュータによって実施される方法。
【請求項２】
前記地図サービスプロバイダが、前記サービスユーザのために自動化されたデータ消費またはデータ承認を提供する、請求項1に記載の方法。
【請求項３】
処理するために前記地図データを前記データサービスプロバイダに送信するステップが、前記地図データを正規化するため、または通常ではないデータを前記地図データから破棄するために、前記地図データを前記データサービスプロバイダに送信するステップを含む、請求項1に記載の方法。
【請求項４】
前記ブロックチェーンがコンソーシアム型ブロックチェーンである、請求項1に記載の方法。
【請求項５】
前記地図データが前記データコレクタによってクラウドソーシングを使用して収集される、請求項1に記載の方法。
【請求項６】
コンピュータシステムによって実行可能な1つまたは複数の命令を記憶したコンピュータ可読記録媒体であって、前記1つまたは複数の命令は、前記コンピュータシステムに、
地図サービスプロバイダによって、データコレクタとブロックチェーン上の第1のスマートコントラクトを実行することであって、
前記地図サービスプロバイダおよび前記データコレクタは、前記ブロックチェーンに参加しているコンピューティングデバイスである、実行することと、
前記地図サービスプロバイダにおいて、地図データを前記データコレクタから受信することと、
前記地図サービスプロバイダによって、データサービスプロバイダと前記ブロックチェーン上の第2のスマートコントラクトを実行することであって、
前記データサービスプロバイダは、前記ブロックチェーンに参加しているコンピューティングデバイスである、実行することと、
処理するために前記地図データを前記データサービスプロバイダに送信することと、
前記地図サービスプロバイダによって、データプロバイダと前記ブロックチェーン上の第3のスマートコントラクトを実行することであって、
前記データプロバイダは、前記ブロックチェーンに参加しているコンピューティングデバイスである、実行することと、
前記地図サービスプロバイダにおいて、非クラウドソーシングデータを前記データプロバイダから受信することと、
前記地図データと共に処理するために前記非クラウドソーシングデータを前記データサービスプロバイダに送信することと、
処理された地図データに対する要求をサービスユーザから受信することと、
前記データサービスプロバイダから、前記地図データおよび前記非クラウドソーシングデータから生成された、前記処理された地図データを検索することと、
前記地図サービスプロバイダによって、前記サービスユーザと前記ブロックチェーン上の第4のスマートコントラクトを実行することと、
前記要求に応答して前記処理された地図データを前記サービスユーザに送信することと
を行わせる、コンピュータ可読記憶媒体。
【請求項７】
前記地図サービスプロバイダが、前記サービスユーザのために自動化されたデータ消費またはデータ承認を提供する、請求項6に記載のコンピュータ可読記憶媒体。
【請求項８】
処理するために前記地図データを前記データサービスプロバイダに送信することが、前記地図データを正規化するため、または通常ではないデータを前記地図データから破棄するために、前記地図データを前記データサービスプロバイダに送信することを含む、請求項6に記載のコンピュータ可読記憶媒体。
【請求項９】
前記ブロックチェーンがコンソーシアム型ブロックチェーンである、請求項6に記載のコンピュータ可読記憶媒体。
【請求項１０】
前記地図データが前記データコレクタによってクラウドソーシングを使用して収集される、請求項6に記載のコンピュータ可読記憶媒体。
【請求項１１】
コンピュータにより実施されるシステムであって、
1つまたは複数のコンピュータと、
前記1つまたは複数のコンピュータに動作可能に接続され、かつ1つまたは複数の命令を記憶したコンピュータ可読記録媒体を備えた1つまたは複数のコンピュータメモリデバイスと
を備え、
前記1つまたは複数の命令は、前記1つまたは複数のコンピュータによって実行されると、前記1つまたは複数のコンピュータに、
地図サービスプロバイダによって、データコレクタとブロックチェーン上の第1のスマートコントラクトを実行することであって、
前記地図サービスプロバイダおよび前記データコレクタは、前記ブロックチェーンに参加しているコンピューティングデバイスである、実行することと、
前記地図サービスプロバイダにおいて、地図データを前記データコレクタから受信することと、
前記地図サービスプロバイダによって、データサービスプロバイダと前記ブロックチェーン上の第2のスマートコントラクトを実行することであって、
前記データサービスプロバイダは、前記ブロックチェーンに参加しているコンピューティングデバイスである、実行することと、
処理するために前記地図データを前記データサービスプロバイダに送信することと、
前記地図サービスプロバイダによって、データプロバイダと前記ブロックチェーン上の第3のスマートコントラクトを実行することであって、
前記データプロバイダは、前記ブロックチェーンに参加しているコンピューティングデバイスである、実行することと、
前記地図サービスプロバイダにおいて、非クラウドソーシングデータを前記データプロバイダから受信することと、
前記地図データと共に処理するために前記非クラウドソーシングデータを前記データサービスプロバイダに送信することと、
処理された地図データに対する要求をサービスユーザから受信することと、
前記データサービスプロバイダから、前記地図データおよび前記非クラウドソーシングデータから生成された、前記処理された地図データを検索することと、
前記地図サービスプロバイダによって、前記サービスユーザと前記ブロックチェーン上の第4のスマートコントラクトを実行することと、
前記要求に応答して前記処理された地図データを前記サービスユーザに送信することと
を行わせる、システム。
【請求項１２】
前記地図サービスプロバイダが、前記サービスユーザのために自動化されたデータ消費またはデータ承認を提供する、請求項11に記載のシステム。
【請求項１３】
処理するために前記地図データを前記データサービスプロバイダに送信することが、前記地図データを正規化するため、または通常ではないデータを前記地図データから破棄するために、前記地図データを前記データサービスプロバイダに送信することを含む、請求項11に記載のシステム。
【請求項１４】
前記ブロックチェーンがコンソーシアム型ブロックチェーンである、請求項11に記載のシステム。
【請求項１５】
前記地図データが前記データコレクタによってクラウドソーシングを使用して収集される、請求項11に記載のシステム。